(57)【特許請求の範囲】
【請求項１】
撮影手段により被写体を撮影し、その撮影画像を含む画像を印刷した写真シールを払い出す写真シール払出装置であって、
前記写真シールにおいて前記被写体の瞳に所定形状の光が映り込んだ状態にさせる光映入手段が設けられ、
前記光映入手段は、光源と、この光源の前方付近に設けられて前記所定形状の光を前記被写体の瞳に映り込ませるマスク部材とを有し、
前記マスク部材は、相互に形状の異なる複数の透過部が形成された回転可能な構成であって、前記各透過部から選択された形状の透過部が回転によって前記公言と前記被写体との光路上に位置することを特徴とする、写真シール払出装置。
【発明の詳細な説明】
【０００１】
【発明の属する技術分野】
本発明は、被写体を撮影し、その撮影画像を含む画像を印刷した写真シールを払い出す写真シール払出装置に関する。
【０００２】
【従来の技術】
最近、一人あるいは友人同士で撮影した画像に各種の装飾画像を付加した写真シールを払い出す写真シール払出装置が、若年層を中心として話題を集め、各所に設置されている。
【０００３】
このような従来の写真シール払出装置は、一般に、撮影用の照明光源として、筐体内部の天井および側面付近に蛍光灯が配置されていたが、その他の光源は設けられていなかった。
【０００４】
【発明が解決しようとする課題】
しかし、上記従来の写真シール払出装置において、照明光源は、撮影時に被写体の全体を均一に明るく照らすだけの役割、すなわち撮影の補助的役割をなしているに過ぎず、撮影画像に特殊な効果を付与するといった機能を有していなかった。そして、照明光源以外の光源は設けられていなかったので、撮影画像に特殊な効果を付与することができず、面白味に欠けるという課題があった。
【０００５】
【発明の開示】
本発明は、上記した事情のもとで考え出されたものであって、被写体の撮影画像に視覚上の特殊な効果を付与でき、ユーザに撮影に対する興味を強く抱かせることのできる写真シール払出装置を提供することを、その課題とする。
【０００６】
上記の課題を解決するため、本発明では、次の技術的手段を講じている。
【０００７】
本発明の写真シール払出装置は、撮影手段により被写体を撮影し、その撮影画像を含む画像を印刷した写真シールを払い出す写真シール払出装置であって、前記写真シールにおいて前記被写体の瞳に所定形状の光が映り込んだ状態にさせる光映入手段が設けられ、 前記光映入手段は、光源と、この光源の前方付近に設けられて前記所定形状の光を前記被写体の瞳に映り込ませるマスク部材とを有し、前記マスク部材は、相互に形状の異なる複数の透過部が形成された回転可能な構成であって、前記各透過部から選択された形状の透過部が回転によって前記光源と前記被写体との光路上に位置することを特徴としている。
【００１５】
本発明のその他の特徴および利点は、添付図面を参照して以下に行う詳細な説明によって、より明らかとなろう。
【００１６】
【発明の実施の形態】
以下、本発明の好ましい実施の形態を、図面を参照して具体的に説明する。
【００１７】
図１は、写真シール払出装置１の正面図、図２は、同概略縦断側面図である。この写真シール払出装置１の正面には、上半部のほぼ中央に、撮影手段としての第１のビデオカメラ２が設置されている。この第１のビデオカメラ２は、写真シール払出装置１の正面に立ったユーザなどの被写体の顔を撮影するものであって、入射光軸がほぼ水平になるように、レンズを被写体に向けて配置されている。
【００１８】
第１のビデオカメラ２の周囲には、第１のビデオカメラ２の入射光軸を中心として、光源としての複数の電球３ａ，３ｂが、同一円周上に所定間隔おきに設置されている。これらの電球３ａ，３ｂは、一方の電球３ａが赤色であり、他方の電球３ｂが青色であって、交互に配置されている。また、第１のビデオカメラ２の周囲には、第１のビデオカメラ２の入射光軸を中心として、光源としての複数の直管タイプの蛍光灯４が、全体として星型をなすように配置されている。電球３ａ，３ｂは、写真シール払出装置１の内部に位置する取付板５にソケット６を介して取り付けられており、蛍光灯４は、写真シール払出装置１の前面パネル７に取り付けられている。前面パネル７は、透明板状の保護カバー８によって覆われている。保護カバー８は、樹脂あるいはガラスからなる。なお図２には、１個の電球３ａと１個の蛍光灯４とのみを示す。
【００１９】
第１のビデオカメラ２の上方には、第２のビデオカメラ９が設置されている。この第２のビデオカメラ９は、写真シール払出装置１の正面に立ったユーザなどの被写体の全身を撮影するものであって、入射光軸がほぼ水平になるように、レンズを被写体に向けて配置されている。
【００２０】
第１のビデオカメラ２の下方には、表示装置１１が設置されている。この表示装置１１は、ＬＣＤ（ｌｉｑｕｉｄ  ｃｒｙｓｔａｌ  ｄｉｓｐｌａｙ）あるいはＣＲＴ（ｃａｔｈｏｄｅ−ｒａｙ  ｔｕｂｅ）からなり、デモ映像や操作ガイドや撮影画像などを表示する。また表示装置１１は、表示画面に透明なタッチパネルが装着されており、ユーザがタッチペン１２あるいは指で接触することにより、ユーザの操作に応じた信号を出力する入力装置として動作する。
【００２１】
表示装置１１の右方には、コイン投入口１３が配置されている。表示装置１１の下方には、写真シール払出口１４が配置されている。写真シール払出口１４の右方でかつコイン投入口１３の下方には、コイン返却口１５が配置されている。
【００２２】
図３は、図１に示す写真シール払出装置の回路ブロック図であって、写真シール払出装置１には、パーソナルコンピュータ２１、第１のビデオカメラ２、第２のビデオカメラ９、表示装置１１、コインセンサ２２、タッチパネル２３、発光制御手段としての発光制御回路２４、プリンタ２５、および音声信号発生装置２６が内蔵されている。発光制御回路２４には、電球３ａ，３ｂおよび蛍光灯４が接続されている。音声信号発生装置２６には、２個のスピーカ２７が接続されている。
【００２３】
パーソナルコンピュータ２１には、ＣＰＵ３１、ＲＯＭ３２、ＲＡＭ３３、インターフェイス３４、ハードディスクドライブ３５、フレキシブルディスクドライブ３６、およびＣＤ−ＲＯＭドライブ３７が内蔵されている。ＣＰＵ３１、ＲＯＭ３２、ＲＡＭ３３、およびインターフェイス３４は、バス線３８により相互に接続されている。インターフェイス３４には、ハードディスクドライブ３５、フレキシブルディスクドライブ３６、ＣＤ−ＲＯＭドライブ３７、第１のビデオカメラ２、第２のビデオカメラ９、表示装置１１、コインセンサ２２、タッチパネル２３、発光制御回路２４、プリンタ２５、および音声信号発生装置２６が接続されている。発光制御回路２４には、電球３ａ，３ｂおよび蛍光灯４が接続されている。
【００２４】
パーソナルコンピュータ２１は、写真シール払出装置１の全体を制御する。
【００２５】
第１のビデオカメラ２は、たとえばＣＣＤ（ｃｈａｒｇｅ  ｃｏｕｐｌｅｄ  ｄｅｖｉｃｅ）  を備えており、ユーザなどの被写体の顔を撮影する。
【００２６】
第２のビデオカメラ９は、たとえばＣＣＤを備えており、ユーザなどの被写体の全身を撮影する。
【００２７】
コインセンサ２２は、コイン投入口１３に投入されたコインを検出する。
【００２８】
タッチパネル２３は、ユーザの操作に応じた信号をＣＰＵ３１に供給する。
【００２９】
発光制御回路２４は、パーソナルコンピュータ２１により制御されて、電球３ａ，３ｂおよび蛍光灯４の点灯ならびに消灯を制御する。
【００３０】
プリンタ２５は、たとえば昇華型のカラープリンタからなり、パーソナルコンピュータ２１から供給される赤、緑、青各色のそれぞれ所定ビット数の画像データに基づいて、写真シールの用紙上に所定の記録密度でカラー画像を印刷し、さらに、印刷面に樹脂フィルムを貼着する。
【００３１】
音声信号発生装置２６は、パーソナルコンピュータ２１により制御されて、ユーザに対する音声ガイダンスや撮影時のシャッター音などの音声信号を生成し、スピーカ２７に出力する。
【００３２】
スピーカ２７は、たとえば２個設けられており、音声信号発生装置２６からの音声信号により駆動されて、音声ガイダンスやシャッター音などを出力する。
【００３３】
ＣＰＵ３１は、ＣＤ−ＲＯＭからハードディスクにインストールされてＲＡＭ３３に読み込まれたプログラムに基づき、コインセンサ２２からの検出信号やタッチパネル２３からの信号に応じて各種の演算処理を実行し、表示装置１１、発光制御回路２４、プリンタ２５、および音声信号発生装置２６などを制御する。
【００３４】
ＲＯＭ３２は、パーソナルコンピュータ２１の起動時などにＣＰＵ３１を動作させるためのプログラムやデータなどを格納している。
【００３５】
ＲＡＭ３３は、ＣＰＵ３１にワーク領域を提供し、各種のデータを記憶する。
【００３６】
インターフェイス３４は、ＣＰＵ３１と各種機器との間の通信を制御する。
【００３７】
ハードディスクドライブ３５は、ＣＰＵ３１により制御されて、ハードディスクに対してデータを読み書きする。ハードディスクには、ＣＤ−ＲＯＭに格納されているプログラムや装飾画像などの各種のデータがインストールされる。
【００３８】
フレキシブルディスクドライブ３６は、ＣＰＵ３１により制御されて、フレキシブルディスクに対してデータを読み書きする。
【００３９】
ＣＤ−ＲＯＭドライブ３７は、ＣＰＵ３１により制御されて、ＣＤ−ＲＯＭからデータを読み出す。
【００４０】
次に動作を説明する。ユーザによって使用されていないときには、写真シール払出装置１の表示装置１１の表示画面には、デモ映像が表示される。このデモ映像には、イメージムービーや写真シール払出装置１によって過去に撮影された写真などが含まれる。デモ映像に含まれる過去の写真は、その写真を撮影したユーザが、デモ映像に使用することを許諾する意思表示としての登録操作を行ったものに限られるが、この登録操作については説明を省略する。
【００４１】
ユーザがコイン投入口１３に所定のコインを投入すると、コインセンサ２２が投入されたコインを検出し、検出信号をインターフェイス３４を介してＣＰＵ３１に供給する。ＣＰＵ３１は、コインセンサ２４からの検出信号に基づいて、コイン投入口１３に所定のコインが所定数投入されたことを検知すると、ハードディスクドライブ３５を制御して、ハードディスクから写真のレイアウトのデータを読み出させ、さらに表示装置１１を制御して、表示画面にレイアウトを表示させる。またＣＰＵ３１は、インターフェイス３４を介して表示装置１１を制御し、「レイアウトを選んで下さい」という趣旨の文字あるいは記号のガイダンスを表示装置１１の表示画面に表示させる。さらにＣＰＵ３１は、インターフェイス３４を介して音声信号発生装置２６を制御し、「レイアウトを選んで下さい」という趣旨の音声ガイダンスをスピーカ２７から出力させる。
【００４２】
写真のレイアウトは、たとえば、図４に示すような４種類の分割されたレイアウトと、分割しないレイアウトとが用意されている。これらのレイアウトは、一括して表示装置１１の表示画面に表示される。もちろん、ユーザの操作により表示装置５の表示画面に１つずつ順次表示するようにしてもよい。レイアウトＡは、１枚の写真シール４１を６区画に区分した例である。レイアウトＢは、１枚の写真シール４１を９区画に区分した例である。レイアウトＣは、１枚の写真シール４１を１１区画に区分した例である。レイアウトＤは、１枚の写真シール４１を６区画に区分した例である。写真シール４１の各区画には、第１のビデオカメラ２あるいは第２のビデオカメラ９によって撮影されたユーザなどの被写体の画像と装飾画像とユーザによる落書き画像とが合成された１つの纏まった画像が印刷される。もちろん、区画数や各区画の面積比率は任意である。
【００４３】
ユーザがタッチパネル２３によりレイアウトを１つ選択し、確定操作を施してレイアウトを確定させると、ＣＰＵ３１が、確定されたレイアウトの種類をＲＡＭ３３に記憶させる。
【００４４】
そしてＣＰＵ３１が、ハードディスクドライブ３５を制御して、ハードディスクから全ての種類の装飾画像のデータを読み出し、既にユーザにより選択されているレイアウトに応じて、各区画に装飾画像を配置して、装飾画像の種類毎に表示装置１１の表示画面に表示させる。このとき、全種類を同時に表示してもよいし、ユーザによるタッチパネル２３の操作に応じて１種類ずつ順次表示してもよい。またＣＰＵ３１は、インターフェイス３４を介して表示装置１１を制御し、「フレームデザインを選んで下さい」という趣旨の文字あるいは記号のガイダンスを表示装置１１の表示画面に表示させる。さらにＣＰＵ３１は、インターフェイス３４を介して音声信号発生装置２６を制御し、「フレームデザインを選んで下さい」という趣旨の音声ガイダンスをスピーカ２７から出力させる。
【００４５】
装飾画像の種類としては、有名なアニメーションの各種キャラクタが考えられるが、これに限らず、たとえば花などの自然物をモチーフとしたものであってもよい。同一種類に属する様々な装飾画像の各区画への割り付けに際しては、ＣＰＵ３１が、各区画の大きさに応じて適宜画像データに縮小処理を施す。すなわち、ユーザがレイアウトの種類と装飾画像の種類との双方を任意に選択できるので、全ての組み合わせについてそれぞれ画像データを予めハードディスクに記憶しておくと、データ量が膨大になってしまうことから、１種類の装飾画像についての画像数を予め決めておき、各画像毎に最大区画に嵌め込む画像データを保持しておいて、最大区画よりも小さな区画に嵌め込むときは、画像データに縮小処理を施すのである。
【００４６】
これによりユーザは、タッチパネル２３を操作して、表示装置１１の表示画面に表示された複数種類の装飾画像のうち、好みの装飾画像を１つ選択する。もちろんユーザは、透明な装飾画像を選択することもできる。透明な装飾画像を選択した場合、印刷された写真シールには、装飾画像が存在しない。ＣＰＵ３１は、ユーザにより選択された装飾画像がいずれであったかをＲＡＭ３３に記憶させる。
【００４７】
そしてＣＰＵ３１が、ハードディスクドライブ３５を制御して、ハードディスクから全ての種類の照明パターンのデータを読み出し、照明パターンを表示装置１１の表示画面に表示させる。このとき、全種類を同時に表示してもよいし、ユーザによるタッチパネル２３の操作に応じて１種類ずつ順次表示してもよい。またＣＰＵ３１は、インターフェイス３４を介して表示装置１１を制御し、「照明パターンを選んで下さい」という趣旨の文字あるいは記号のガイダンスを表示装置１１の表示画面に表示させる。さらにＣＰＵ３１は、インターフェイス３４を介して音声信号発生装置２６を制御し、「照明パターンを選んで下さい」という趣旨の音声ガイダンスをスピーカ２７から出力させる。
【００４８】
本実施形態においては、ユーザは、照明パターンの種類として、蛍光灯４を点灯させた場合の星型と、電球３ａを点灯させた場合の赤色の円形と、電球３ｂを点灯させた場合の青色の円形と、電球３ａ，３ｂを点灯させた場合の赤色と青色とが交互に配置された円形と、電球３ａ，３ｂおよび蛍光灯４を点灯させた場合の星型と赤色および青色の円形との複合型との４種類のうちのいずれかを選択できる。
【００４９】
これによりユーザは、タッチパネル２３を操作して、表示装置１１の表示画面に表示された複数種類の照明パターンのうち、好みの照明パターンを１つ選択する。ＣＰＵ３１は、ユーザにより選択された照明パターンがいずれであったかをＲＡＭ３３に記憶させる。もちろん、ユーザの操作に応じて、電球３ａ，３ｂあるいは蛍光灯４を実際に点灯させてもよい。
【００５０】
そしてＣＰＵ３１が、インターフェイス３４を介して表示装置１１を制御し、「全身写真かアップ写真かを選んで下さい」という趣旨の文字あるいは記号のガイダンスを表示装置１１の表示画面に表示させる。さらにＣＰＵ３１が、インターフェイス３４を介して音声信号発生装置２６を制御し、「全身写真かアップ写真かを選んで下さい」という趣旨の音声ガイダンスをスピーカ２７から出力させる。これによりユーザは、タッチパネル２３を操作して、第１のビデオカメラ２による撮影か第２のビデオカメラ９による撮影かを選択する。すなわち、第１のビデオカメラ２による撮影では、ユーザなどの被写体の顔がアップで撮影されるのに対して、第２のビデオカメラ９による撮影では、ユーザなどの被写体の全身が撮影される。ＣＰＵ３１は、ユーザによりいずれが選択されたかをＲＡＭ３３に記憶させる。
【００５１】
これによりＣＰＵ３１が、発光制御回路２４を制御してユーザにより選択された照明パターンで電球３ａ，３ｂや蛍光灯４を点灯させ、ユーザにより選択された第１のビデオカメラ２あるいは第２のビデオカメラ９からのユーザなどの被写体の画像を、表示装置１１の表示画面に表示させる。そしてＣＰＵ３１が、インターフェイス３４を介して表示装置１１を制御し、「明るさを調整して下さい」という趣旨の文字あるいは記号のガイダンスを表示装置１１の表示画面に表示させる。さらにＣＰＵ３１が、インターフェイス３４を介して音声信号発生装置２６を制御し、「明るさを調整して下さい」という趣旨の音声ガイダンスをスピーカ２７から出力させる。これによりユーザが、タッチパネル２３を操作して自己の好みにより画面の明るさを調整する。具体的には、ＣＰＵ３１が、タッチパネル２３からの信号に基づいて、ユーザにより選択された第１のビデオカメラ２あるいは第２のビデオカメラ９のアイリスを調整する。
【００５２】
次にＣＰＵ３１が、インターフェイス３４を介して表示装置１１を制御し、「今から撮影します」という趣旨の文字あるいは記号のガイダンスを表示装置１１の表示画面に表示させる。さらにＣＰＵ３１が、インターフェイス３４を介して音声信号発生装置２６を制御し、「今から撮影します」という趣旨の音声ガイダンスをスピーカ２７から出力させる。これによりユーザなどの被写体は、カメラ目線で好みのポーズを取る。
【００５３】
第１のビデオカメラ２あるいは第２のビデオカメラ９による撮影は、たとえば２秒毎に６回行われ、撮影の瞬間には各回毎にスピーカ２７からシャッター音が出力される。この６回の撮影による画像データは、ＲＡＭ３３に記憶される。すなわち、第１のビデオカメラ２あるいは第２のビデオカメラ９から常時出力されている赤、緑、青各色の画像信号を、２秒毎に１フレームずつディジタルの画像データに変換して、６フレーム分の画像データをＲＡＭ３３に取り込むのである。このとき、ＣＰＵ３１は、発光制御回路２４を制御し、ＲＡＭ３３に記憶されている照明パターンで電球３ａ，３ｂあるいは蛍光灯４を点灯させる。たとえば、ユーザが星型の照明パターンを選択した場合、撮影時には蛍光灯４が点灯する。
【００５４】
６回の撮影が終了すると、ＣＰＵ３１が、インターフェイス３４を介して表示装置１１を制御し、「撮影が終了しました」という趣旨の文字あるいは記号のガイダンスを表示装置１１の表示画面に表示させる。さらにＣＰＵ３１が、インターフェイス３４を介して音声信号発生装置２６を制御し、「撮影が終了しました」という趣旨の音声ガイダンスをスピーカ２７から出力させる。
【００５５】
そしてＣＰＵ３１が、ＲＡＭ３３に記憶させた６フレーム分の画像データを読み出し、インターフェイス３４を介して表示装置１１に出力し、表示装置１１の表示画面に表示させる。またＣＰＵ３１が、インターフェイス３４を介して表示装置１１を制御し、「お好みの写真を選んで下さい」という趣旨の文字あるいは記号のガイダンスを表示装置１１の表示画面に表示させる。さらにＣＰＵ３１が、インターフェイス３４を介して音声信号発生装置２６を制御し、「お好みの写真を選んで下さい」という趣旨の音声ガイダンスをスピーカ２７から出力させる。これによりユーザは、タッチパネル２３を操作して、表示装置１１の表示画面に表示された６枚の画像のうち、好みの画像を１枚選択する。ＣＰＵ３１は、ユーザにより選択された１枚の画像が６枚のうちのいずれであったかをＲＡＭ３３に記憶させる。
【００５６】
そしてＣＰＵ３１が、ユーザにより選択された装飾画像と、ユーザにより選択された１枚の撮影画像とを合成し、表示装置１１の表示画面に表示させる。またＣＰＵ３１が、インターフェイス３４を介して表示装置１１を制御し、「落書きをして下さい」という趣旨の文字あるいは記号のガイダンスを表示装置１１の表示画面に表示させる。さらにＣＰＵ３１が、インターフェイス３４を介して音声信号発生装置２６を制御し、「落書きをして下さい」という趣旨の音声ガイダンスをスピーカ２７から出力させる。これによりユーザは、タッチパネル２３を操作して、落書きの色を選択し、表示装置１１の表示画面に表示されている合成画像に好みの落書きを施す。この落書きは、ユーザがタッチペン１２あるいは指で表示装置１１の表示画面に触れ、その状態でタッチペン１２あるいは指を移動させることにより、通常の落書きの感覚で行われる。ＣＰＵ３１は、タッチパネル２３からの信号により、ユーザの落書きに応じた画像データを生成し、ＲＡＭ３３に蓄積する。もちろん、ユーザが落書きしない場合、完成した写真シールには落書き画像が印刷されていない。
【００５７】
ユーザが落書きを終了し、タッチパネル２３に確定操作を施すと、ＣＰＵ３１が、ユーザによって選択された装飾画像と、ユーザによって選択された撮影画像と、ユーザによって入力された落書き画像とを、ユーザによって選択されたレイアウト通りに、ＲＡＭ３３内で合成する。合成された１枚の写真シール４１を印刷するための赤、緑、青各色８ビットのカラー画像データは、インターフェイス３４を介してプリンタ２５に供給される。これによりプリンタ２５は、赤、緑、青各色のカラー画像データを、たとえばシアン、マゼンタ、イエロー各色の印刷用のカラー画像データに変換し、写真シール用紙上に印刷する。このように画像の合成および印刷が行われている期間中、ＣＰＵ３１は、表示装置１１の表示画面にデモ映像を表示させる。このデモ映像には、現在印刷中の合成画像が含まれる。
【００５８】
合成画像の印刷が終了すると、プリンタ２５は、印刷した写真シールの印刷面に透明な樹脂フィルムをコーティングし、写真シール払出口１６に払い出す。この写真シール４１は、裏面側のカバー紙を剥がすことにより、糊面があらわれ、任意のものに貼付することができる。もちろん、各区画毎に鋏などで切ってもよいし、そのままでもよい。
【００５９】
ユーザが、分割無しのレイアウトと、透明な装飾画像と、星型の照明パターンとを選択し、かつ第１のビデオカメラ２により一人で撮影した場合、たとえば図５に示すような写真シール４１が払い出される。図５からも明らかなように、写真シール４１に印刷されている被写体としてのユーザの瞳には、撮影時における照明用の蛍光灯４による星型の光４２が映り込んでおり、特殊な演出効果が発揮されている。もちろん、二人以上で撮影した場合も、各人の瞳にそれぞれ星型の光４２が映り込んだ写真シール４１が得られる。
【００６０】
なお、第１のビデオカメラ２の代わりに第２のビデオカメラ９により撮影してもよいが、この場合、ユーザの全身が撮影されるので、ユーザの瞳の大きさが相対的に小さくなる。
【００６１】
このように、第１のビデオカメラ２の周囲に複数の電球３ａ，３ｂおよび複数の蛍光灯４を設け、それらをユーザの選択に応じて撮影時における照明光源として選択的に発光させるので、撮影時にユーザがカメラ目線のポーズをとることにより、ユーザの瞳に照明光源が映り込み、電子的な画像処理を施すことなく、特殊な演出効果の写真シール４１を得ることができる。したがってユーザは、各種の照明パターンによる撮影を試したくなり、写真シール払出装置１を利用した撮影に対する興味が持続する。
【００６２】
また、照明光源がユーザの瞳に映り込むようにしたので、照明光源を有効利用でき、別途照明光源を設ける必要がないことから製作コストの増加を極力抑制できる。
【００６３】
もちろん、被写体としては、人間に限らず、たとえばユーザがペットを抱いて撮影してもよいし、ペット単独で撮影してもよい。
【００６４】
なお、写真シール払出装置１においては、第１のビデオカメラ２と第２のビデオカメラ９とを設けたが、第２のビデオカメラ９を省略してもよい。この場合、第１のビデオカメラ２にズーム機能を持たせ、ユーザがタッチパネル２３を操作して第１のビデオカメラ２のズーム倍率を可変できるように構成すれば、ユーザは自己の全身写真を選択できる。
【００６５】
また、写真シール払出装置１においては、撮影手段として第１のビデオカメラ２および第２のビデオカメラ９を設けたが、撮影手段として電子スチルカメラを用いてもよい。この場合、電子スチルカメラのファインダーとしてのＬＣＤ（liquid crystal display）を取り外し、電子スチルカメラのレンズの近傍位置にてユーザに向けて配置すれば、ユーザはＬＣＤの表示画面により自己の撮影画像を確認できる。
【００６６】
また、写真シール払出装置１においては、第１のビデオカメラ２による撮影か第２のビデオカメラ９による撮影かをユーザに選択させるように構成したが、第１のビデオカメラ２と第２のビデオカメラ９とにより同時に撮影し、撮影後にいずれかの画像をユーザに選択させるように構成してもよい。
【００６７】
また、写真シール払出装置１においては、照明光源として電球３ａ，３ｂおよび蛍光灯４を設け、ユーザが円形あるいは星型の照明パターンを選択できるように構成したが、これらの他に、ハート型、三角形、十字形などの各種形状、記号、文字、あるいはそれらの組合せをユーザが選択できるように、電球３ａ，３ｂあるいは蛍光灯４の全体形状を構成してもよい。
【００６８】
あるいは、赤色、緑色、青色を１組として、多数組の電球などを第１のビデオカメラ２の周囲にドーナツ状に密接配置し、各電球を選択的に発光させるようにすれば、任意の色かつ任意の形状の光をユーザの瞳に映り込ませることができる。
【００６９】
さらには、電球３ａ，３ｂあるいは蛍光灯４の代わりに、ネオン管やハロゲンランプなど、他の光源を用いてもよい。たとえば、レーザ光を用いれば、１つの光源で、任意の形状の光をユーザの瞳に映り込ませることができる。ただしこの場合、照明光源は別途設置することになる。
【００７０】
そして、写真シール払出装置１においては、電球３ａ，３ｂや蛍光灯４を全体として所定形状に配置したが、本発明の実施形態にかかる写真シール払出装置においては、電球３ａ，３ｂや蛍光灯４を全体として所定形状に配置する代わりに、光源の前方付近にマスク部材を設け、このマスク部材に所定形状の透過部を形成して、透過部を透過した光が被写体の瞳に映り込むように構成する。この場合、マスク部材に、相互に形状の異なる複数の透過部を形成し、かつマスク部材を回転可能に構成して、ユーザによって選択された形状の透過部が光源と被写体との光路上に位置するように構成してもよい。そして、この本発明の実施形態にかかる写真シール払出装置においても、写真シール払出装置１と同様の効果が得られるのは当然のことであり、加えて、マスク部材を回転可能に構成することにより、ユーザが所望形状のマスク部材を回転することで選択でき、選択した形状のマスク部材を介してその形状の光を瞳に映り込ませることができる。もちろん、光源は１つでもよいが、相互に色彩の異なる複数の光源を近接配置し、これらの光源からの光が混合されて透過部を透過するように構成してもよい。この場合、ユーザによって選択された任意数の色の光源だけが点灯するように構成してもよい。さらには、光源として白色光を用い、透過部を透明あるいは半透明のガラスや樹脂により構成し、透過部に着色を施してもよい。
【００７１】
なお、実際の光源により被写体の瞳に光を映し込ませる代わりに、電子的な画像処理により被写体の瞳に光が映り込んでいるような画像を生成するように構成してもよい。この場合、撮影時に表示装置１１の表示画面上に２点の目印を表示し、ユーザの瞳がその目印に合うように、ユーザに自己の顔の位置を微調整してもらうようにすれば、画像処理を容易に行える。すなわち、画像全体の所定の位置に処理を施せばよいので、画像信号に基づいて画像中の瞳の位置を検出する処理が不要になる。もちろん、瞳に映り込む光の色や形状を、ユーザが所望に応じて選択できるように構成してもよい。
【００７２】
また、写真シール払出装置１に通信機能を持たせて、合成画像をたとえば管理会社のサーバに蓄積し、ユーザがそれを利用して自己のホームページを作成できるように構成するなど、各種の付加価値を付けるようにしてもよい。
【図面の簡単な説明】
【図１】写真シール払出装置の正面図である。
【図２】図１に示す写真シール払出装置の概略縦断側面図である。
【図３】図１に示す写真シール払出装置の回路ブロック図である。
【図４】図１に示す写真シール払出装置により得られる写真シールにおける区画のレイアウトの説明図である。
【図５】図１に示す写真シール払出装置により得られた写真シールの説明図である。
【符号の説明】
１  写真シール払出装置
２  第１のビデオカメラ
３ａ，３ｂ  電球
４  蛍光灯
１１  表示装置
１３  コイン投入口
１４  写真シール払出口
２１  パーソナルコンピュータ
２３  タッチパネル
２４  発光制御回路
２５  プリンタ
３１  ＣＰＵ
３３  ＲＡＭ
３５  ハードディスクドライブ
４１  写真シール
４２  光
【図１】
0003589961.tif 000002
【図２】
0003589961.tif 000003
【図３】
0003589961.tif 000004
【図４】
0003589961.tif 000005
【図５】
0003589961.tif 000006